(57)【特許請求の範囲】
【請求項１】
０.０５０重量％以下の硫黄分及び２〜８容量％の多環芳香族分を含有し、かつ１５℃における密度が０.８００〜０.８６０ｇ/ｃｍ3 であり、３０℃における動粘度が１．７ｃＳｔ以上である軽油に、極性基含有潤滑性付与剤としてアミン系化合物を１０〜５０ｐｐｍ配合してなるディーゼル軽油組成物。
【請求項２】
軽油の多環芳香族分含量が３〜８容量％である請求項１に記載のディーゼル軽油組成物。
【請求項３】
軽油の３０℃における動粘度が２．５ｃＳｔ以上である請求項１又は２に記載のディーゼル軽油組成物。
【発明の詳細な説明】
【０００１】
【産業上の利用分野】
本発明は、ディーゼル軽油組成物に関し、更に詳しくは、自動車，船舶，発電機等に用いられるディーゼルエンジン用の軽油組成物に関する。
【０００２】
【従来の技術】
近年、排ガス規制への対応のためディーゼルエンジン用軽油においても、その硫黄分含量を低減することが求められている。しかしながら、このような低硫黄化のため軽油基材について深度脱硫を行った場合、得られる軽油製品の潤滑性能が低下することが知られてきた。即ち、このような潤滑性能の低下により燃料である軽油で潤滑を行っているディーゼルエンジンの燃料噴射ポンプの各部の摩耗が増大し、この結果エンジンの回転不良、運転性悪化等の不都合が生じることが報告されている。特に、ガバナスリーブの摺動性の低下により、フォークリフト等においてはアイドリング時にエンジンが停止するという不具合が報告されている。更に、フェイスカムの摩耗により、燃料噴射が出来なくなり、ポンプの破壊的な故障が生じる例が一部の市場で報告されている。
このような軽油の潤滑性能の低下に対して、ハード面からの対応もなされているが、その一方で燃料面からの対応が要求されこれに対する検討がなされてきたが、未だ満足のいく対応は見出されていなかった。
【０００３】
【発明が解決しようとする課題】
本発明は上記の事情下においてなされたものであり、深度脱硫軽油を用い、硫黄分含量を著しく低減した場合においても優れた潤滑性能が維持され、加えてディーゼル自動車のエンジンの燃料噴射ポンプに不具合を起こすことがなく、排ガスの悪化が起こらないディーゼル軽油組成物を提供することを目的とするものである。
【０００４】
【課題を解決するための手段】
本発明者らは、前記目的を達成するために鋭意研究を重ねた結果、特定の組成及び性能を有する深度脱硫軽油に、極性基含有潤滑性付与剤を配合することにより、硫黄分含量を低減しつつ優れた潤滑性能を維持することが可能となり、またこの結果ディーゼル自動車のエンジンの燃料噴射ポンプに不具合を起こすことのないディーゼル軽油組成物が得られることを見出したものである。本発明は、かかる知見に基づいて完成したものである。
【０００５】
すなわち、本発明は、０.０５０重量％以下の硫黄分及び２〜８容量％の多環芳香族分を含有し、かつ１５℃における密度が０.８００〜０.８６０ｇ/ｃｍ3 であり、３０℃における動粘度が１．７ｃＳｔ以上である軽油に、アミン系化合物である極性基含有潤滑性付与剤を１０〜５０ｐｐｍ配合してなるディーゼル軽油組成物、を提供するものである。
【０００６】
以下に、本発明を更に詳細に説明する。本発明のディーゼル軽油組成物に使用される軽油は、その各特性が日本工業規格（ＪＩＳ）を満足するものであり、特に、０.０５０重量％以下の硫黄分及び２〜８容量％の多環芳香族分を含有し、かつ１５℃における密度が０.８００〜０.８６０ｇ/ｃｍ3 であり、３０℃における動粘度が１．７ｃＳｔ以上であるものである。ここで、硫黄分含量は０.０１０〜0.０５０重量％であることが好ましく、硫黄分含量が０.０５０重量％を超えるものは、潤滑性能は優れるものの、排ガスが悪化し好ましくない。また、多環芳香族分含量は２〜８容量％、好ましくは３〜８容量％であることが必要であり、この値が８容量％を超える場合はアミン系化合物である極性基含有潤滑性付与剤添加の効果が認められず、また２容量％未満の場合は極性基含有潤滑性付与剤添加が大量に必要となり好ましくない。上記値が３〜８容量％の範囲であれば、アミン系化合物である極性基含有潤滑性付与剤添加効果の点で一層好ましいものとなる。本発明においては、上記多環芳香族分として、二環以上の芳香族分の含量が上記範囲にあることが好ましい。
【０００７】
更に、上記軽油の密度は１５℃において、0.８００〜0.８６０ｇ／ｃｍ3 であることが必要である。上記密度が0.８６０ｇ／ｃｍ3 を超える場合は排ガスが悪化することがあり、また0.８００ｇ／ｃｍ3 未満の場合は、潤滑性能が悪化し好ましくない。
上記軽油の動粘度については、３０℃において1.７ｃＳｔ以上、好ましくは2.５ｃＳｔ以上である。この値が1.７ｃＳｔ未満の場合は、潤滑性能が悪化し好ましくない。上記値が2.５ｃＳｔ以上であれば、潤滑性能の面で一層好ましいものとなる。
【０００８】
本発明のディーゼル軽油組成物は、上記組成及び性状を有する軽油にアミン系化合物である極性基含有潤滑性付与剤を配合してなるものである。具体的には、ドデシルアミン、ステアリン酸アミン、ステアリン酸ジメチルアミン、シクロヘキシルアミン、ドデシルビス（ジエチレングリコール）アミン、フェニル−α−ナフチルアミン、ビスオクチルフェニルアミン、ビスノニルフェニルアミン、ジフェニル−ｐ−フェニレンジアミン、ジピリジリルアミン、フェノチアジン、Ｎ−メチルフェノチアジン、Ｎ−エチルフェノチアジン等のアミン系化合物が挙げられる。
【０００９】
上記のように、本発明においては極性基含有潤滑性付与剤としてアミン系化合物が用いられる。
【００１０】
本発明においては、上記アミン系化合物は、ディーゼル軽油組成物中に１０〜５０ｐｐｍ配合される。上記配合量が５０ｐｐｍを超える場合は、ディーゼル軽油組成物中に完全に溶解しなくなることがあり、また１０ｐｐｍ未満では本発明の効果が十分に発揮されないことがある。
【００１１】
本発明のディーゼル軽油組成物は上記のような組成及び性状を有する軽油を用い、これに上記極性基含有潤滑性付与剤を配合してなるものであるが、このような軽油としては、例えば深度脱硫軽油（ＤＧＯ）、またはこれに必要に応じて一般に用いられる灯軽油基材を混合してなるものが使用できる。具体的には、例えば深度脱硫軽油（ＤＧＯ）に、水素化分解軽油（ＨＣＧＯ）あるいは脱硫灯油（ＤＫ）を８０容量％以下、またはその他の軽油留分、例えば直留軽油（ＬＧＯ），直接脱硫軽油（ＤＳＧＯ），分解軽油（ＬＣＯ），脱硫軽質軽油（ＶＨＬＧＯ），硫黄分が0.０５重量％以上のその他の軽油基材を１０容量％以下含有するように混合したものを用いることができる。これらの灯軽油基材が上記各範囲を超える場合は、潤滑性能の改善が見られない場合があったり、また排ガスが悪化する場合があるなど好ましくない場合がある。
【００１２】
上記深度脱硫軽油（ＤＧＯ）は一般に沸点範囲が１７０〜３９０℃のものであり、その密度が0.８０〜0.９０の範囲のものを適宜使用できる。上記ＤＧＯとしては硫黄分含量が0.０５重量％以下のものが好ましく使用できる。硫黄分含量が0.０５重量％を超えるものは排ガスが悪化するため好ましくない。
上記深度脱硫軽油（ＤＧＯ）は、具体的には、原料油としての直留軽油（ＬＧＯ）を水添脱硫装置を用いて、Ｃｏ−Ｍｏ／アルミナ触媒，Ｎｉ−Ｍｏ／アルミナ触媒等の触媒の存在下で、３０〜１００ｋｇ／ｃｍ2 Ｇ、好ましくは５０〜７０ｋｇ／ｃｍ2 Ｇの圧力下、３００〜４００℃、好ましくは３３０〜３６０℃の温度で、液空間速度（ＬＨＳＶ）0.５〜５ｈ-1、好ましくは１〜２ｈ-1の条件で深度脱硫反応を行い、その後ストリッパーで硫化水素とナフサを除去して得られるものである。
【００１３】
上記水素化分解軽油（ＨＣＧＯ）とは、重質軽油（ＨＧＯ）、減圧軽油（ＶＧＯ）あるいはこれらの混合油を触媒の存在下で水素化分解し、当該分解生成油を燃料油留分と潤滑油留分に蒸留分離して得られたものであり、その蒸留性状としては沸点範囲が１８０〜３８０℃であり、５０％蒸留点が２２０〜３４０℃のものである。上記潤滑油留分は沸点範囲が２５０〜５４０℃、好ましくは３００〜５３０℃であり、燃料油留分は沸点の終点が２５０〜３７０℃のものである。
尚、脱硫灯油（ＤＫ）あるいは上記軽油留分としての直留軽油（ＬＧＯ），直接脱硫軽油（ＤＳＧＯ），分解軽油（ＬＣＯ），脱硫軽質軽油（ＶＨＬＧＯ）については通常の方法で調製することができる。またその一般性状としては下記第１表に示すものを一般に使用可能である。
【００１４】
【表１】
0003866510.tif 000002
【００１５】
本発明のディーゼル軽油組成物には、本発明の効果を損なわない範囲で必要に応じてセタン価向上剤，酸化防止剤，金属不活性剤，低温流動向上剤，氷結防止剤，腐食防止剤，微生物殺菌剤，助燃剤，帯電防止剤，潤滑性付与剤，着色剤等の添加剤を適宜加えることができる。
【００１６】
【実施例】
以下に、実施例により本発明を更に具体的に説明するが、本発明はこれらの例によってなんら限定されるものではない。
実施例１，２及び比較例１、２
第２表に示す性状の軽油基材を第３表に示す割合で混合して軽油を調製し、これに第２表に示す極性基含有潤滑性付与剤を添加して、得られたディーゼル軽油組成物の各々について摩耗幅、即ち摩耗跡の平均直径を測定した。その結果を第３表に示した。この値としては、ポンプ性能から0.５ｍｍ以下の値が求められている。
【００１７】
【表２】
0003866510.tif 000003
【００１８】
【表３】
0003866510.tif 000004
【００１９】
第３表から明らかなように、極性基含有潤滑性付与剤としてアミン系化合物を添加することにより、硫黄分含量を著しく低減した場合においても、著しく優れた潤滑性能を有する軽油組成物が得られた。尚、軽油の性状及び性能は次の方法によって求めた。
＊１ 密度 ：ＪＩＳ Ｋ ２２４９に準拠して測定した。
＊２ 硫黄分 ：ＪＩＳ Ｋ ２５４１に準拠して測定した。
＊３ 多環芳香族分：ＨＰＬＣ法にて測定した。
＊４ 動粘度 ：ＪＩＳ Ｋ ２２８３に準拠して測定した。
＊５ 摩耗幅 ：ＡＳＴＭ Ｄ ５００１に準拠して摩耗跡の平均直径を測 定した。
＊６ 添加剤Ａ ：ステアリン酸アミン
【００２０】
【発明の効果】
本発明によれば、深度脱硫軽油基材を用い、硫黄分含量を著しく低減した場合においても優れた潤滑性能が維持され、ディーゼル自動車のエンジンの燃料噴射ポンプに不具合を起こすことがなく、排ガスの悪化のないディーゼル軽油組成物を提供することができる。